(57)【要約】本開示は、アップリンク（ＵＬ）キャリアアグリゲーション（ＣＡ）における装置内共存（ＩＤＣ）の問題をシグナリングするための方法、装置、およびシステムを提供する。進化型ノードＢ（ｅＮＢ）と通信するユーザ装置（ＵＥ）における方法の実施形態が開示される。いくつかの実施形態において、ＵＥにおける方法は、問題のあるＵＬ ＣＡの組み合わせの情報を含むＩＤＣの指標をｅＮＢに送信することを含む。これにより、ｅＮＢは、ｅＮＢがＵＬのＣＡに対してどの周波数を回避する必要があるかを推定するための指標が提供される。【選択図】図７
2018533234.tif 000002
【特許請求の範囲】
【請求項１】
進化型ノードＢ（ｅＮＢ）（１４、２０）と通信を行うユーザ装置（ＵＥ）（１６）における方法であって、
問題のあるアップリンクのキャリアアグリゲーションの組み合わせの情報を含む装置内共存（ＩＤＣ）の指標を前記ｅＮＢ（１４、２０）に送信すること（３０４）、を含む、方法。
【請求項２】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項１に記載の方法。
【請求項３】
前記問題のあるアップリンクキャリアアグリゲーションの組み合わせは、前記ＵＥ（１６）がＩＤＣの問題を経験するアップリンクキャリアアグリゲーションの組み合わせである、請求項２に記載の方法。
【請求項４】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項１から３のいずれか１項に記載の方法。。
【請求項５】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項１から３のいずれか１項に記載の方法。
【請求項６】
ユーザ装置（ＵＥ）（１６）と通信する進化型ノードＢ（ｅＮＢ）（１４、２０）における方法であって、
問題のあるアップリンクのキャリアアグリゲーションの組み合わせの情報を含む装置内共存（ＩＤＣ）の指標を前記ＵＥ（１６）から受信すること（３０４）、を含む、方法。
【請求項７】
前記ｅＮＢ（１４、２０）は、問題のあるアップリンクキャリアアグリゲーションの組み合わせの前記受信した情報から、アップリンクキャリアアグリゲーションに対して回避するための周波数を推定する、請求項６に記載の方法。
【請求項８】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項６または７に記載の方法。
【請求項９】
前記問題のあるアップリンクキャリアアグリゲーションの組み合わせは、前記ＵＥ（１６）がＩＤＣの問題を経験するアップリンクキャリアアグリゲーションの組み合わせである、請求項８に記載の方法。
【請求項１０】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項６から９のいずれか１項に記載の方法。
【請求項１１】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項６から９のいずれか１項に記載の方法。。
【請求項１２】
進化型ノードB（ｅＮＢ）と通信を行うためのユーザ装置（ＵＥ）（１６）であって、
問題のあるアップリンクのキャリアアグリゲーションの組み合わせの情報を含む装置内共存（ＩＤＣ）の指標を前記ｅＮＢ（１４、２０）に送信するように適合される、ＵＥ（１６）。
【請求項１３】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項１２に記載のＵＥ（１６）。
【請求項１４】
前記問題のあるアップリンクキャリアアグリゲーションの組み合わせは、前記ＵＥ（１６）がＩＤＣの問題を経験するアップリンクキャリアアグリゲーションの組み合わせである、請求項１３に記載のＵＥ（１６）。
【請求項１５】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項１２から１４のいずれか１項に記載のＵＥ（１６）。
【請求項１６】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項１２から１４のいずれか１項に記載のＵＥ（１６）。
【請求項１７】
ユーザ装置（ＵＥ）（１６）と通信するための進化型ノードＢ（ｅＮＢ）（１４、２０）であって、
問題のあるアップリンクのキャリアアグリゲーションの組み合わせの情報を含む装置内共存（ＩＤＣ）の指標をＵＥ（１６）から受信するように適合される、ｅＮＢ（１４、２０）。
【請求項１８】
問題のあるアップリンクキャリアアグリゲーションの組み合わせの前記受信した情報から、アップリンクキャリアアグリゲーションに対して回避するための周波数を推定するように適合される、請求項１７に記載のｅＮＢ（１４、２０）。
【請求項１９】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項１７または１８に記載のｅＮＢ（１４、２０）。
【請求項２０】
前記問題のあるアップリンクキャリアアグリゲーションの組み合わせは、前記ＵＥ（１６）がＩＤＣの問題を経験するアップリンクキャリアアグリゲーションの組み合わせである、請求項１９に記載のｅＮＢ（１４、２０）。
【請求項２１】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項１７から２０のいずれか１項に記載のｅＮＢ（１４、２０）。
【請求項２２】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項１７から２０のいずれか１項に記載のｅＮＢ（１４、２０）。
【請求項２３】
進化型ノードＢ（ｅＮＢ）（１４、２０）と通信を行うためのユーザ装置（ＵＥ）（１６）であって、
少なくとも１つの送受信器（２６）を有し、
少なくとも１つのプロセッサ（２２）を有し、
前記少なくとも一つのプロセッサ（２２）により実行可能な命令を記憶するメモリ（２４）を有し、それにより、前記ＵＥ（１６）は、
前記少なくとも１つの送受信器（２６）を介して、問題のあるアップリンクのキャリアアグリゲーションの組み合わせの情報を含む装置内共存（ＩＤＣ）の指標をｅＮＢ（１４、２０）に送信するように動作可能である、ＵＥ（１６）。
【請求項２４】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項２３に記載のＵＥ（１６）。
【請求項２５】
前記問題のあるアップリンクキャリアアグリゲーションの組み合わせは、前記ＵＥ（１６）がＩＤＣの問題を経験するアップリンクキャリアアグリゲーションの組み合わせである、請求項２４に記載のＵＥ（１６）。
【請求項２６】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項２３から２５のいずれか１項に記載のＵＥ（１６）。
【請求項２７】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項２３から２５のいずれか１項に記載のＵＥ（１６）。
【請求項２８】
ユーザ装置（ＵＥ）（１６）と通信するための進化型ノードＢ（ｅＮＢ）（１４、２０）であって、
少なくとも１つの通信インタフェース（４２、４４）と、
少なくとも１つのプロセッサ（３８）を有し、
前記少なくとも１つのプロセッサ（３８）により実行可能な命令を記憶するメモリ（４０）を有し、それにより、ｅＮＢ（１４、２０）は、前記少なくとも一つの通信インタフェース（４２、４４）を介して、問題のあるアップリンクキャリアアグリゲーションの組み合わせの情報を含む装置内共存（ＩＤＣ）の指標を前記ＵＥ（１６）から受信する（１０４、２０４、３０４）ように動作可能である、ｅＮＢ（１４、２０）。
【請求項２９】
問題のあるアップリンクキャリアアグリゲーションの組み合わせの前記受信した情報から、アップリンクキャリアアグリゲーションに対して回避するための周波数を推定するように適合される、請求項２８に記載のｅＮＢ（１４、２０）。
【請求項３０】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項２８または２９に記載のｅＮＢ（１４、２０）。
【請求項３１】
前記問題のあるアップリンクキャリアアグリゲーションの組み合わせは、前記ＵＥ（１６）がＩＤＣの問題が経験するアップリンクキャリアアグリゲーションの組み合わせである、請求項３０に記載のｅＮＢ（１４、２０）。
【請求項３２】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項２８から３１のいずれか１項に記載のｅＮＢ（１４、２０）。
【請求項３３】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項２８から３１のいずれか１項に記載のｅＮＢ（１４、２０）。
【請求項３４】
進化型ノードＢ（ｅＮＢ）（１４、２０）と通信を行うためのユーザ装置（ＵＥ）（１６）であって、
問題のあるアップリンクのキャリアアグリゲーションの組み合わせの情報を含む装置内共存（ＩＤＣ）の指標をｅＮＢ（１４、２０）に送信するように動作可能な問題組み合わせモジュール（３４）、を有する、ＵＥ（１６）。
【請求項３５】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項３４に記載のＵＥ（１６）。
【請求項３６】
前記問題のあるアップリンクキャリアアグリゲーションの組み合わせは、前記ＵＥ（１６）がＩＤＣの問題を経験するアップリンクキャリアアグリゲーションの組み合わせである、請求項３５に記載のＵＥ（１６）。
【請求項３７】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項３４から３６のいずれか１項に記載のＵＥ（１６）。
【請求項３８】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項３４から３６のいずれか１項に記載のＵＥ（１６）。
【請求項３９】
ユーザ装置（ＵＥ）（１６）と通信するための進化型ノードＢ（ｅＮＢ）（１４、２０）であって、
問題のあるアップリンクのキャリアアグリゲーションの組み合わせの情報を含む装置内共存（ＩＤＣ）の指標をＵＥ（１６）から受信するように動作可能な受信モジュール（５４）を有する、ｅＮＢ（１４、２０）。
【請求項４０】
前記ｅＮＢ（１４、２０）は、更に、
前記ｅＮＢ（１４、２０）は、問題のあるアップリンクキャリアアグリゲーションの組み合わせの前記受信した情報から、アップリンクキャリアアグリゲーションに対して回避するための周波数を推定するように動作可能な推定モジュールを有する、請求項３９に記載のｅＮＢ（１４、２０）。
【請求項４１】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項３９または４０に記載のｅＮＢ（１４、２０）。
【請求項４２】
前記問題のあるアップリンクキャリアアグリゲーションの組み合わせは、前記ＵＥ（１６）がＩＤＣの問題を経験するアップリンクキャリアアグリゲーションの組み合わせである、請求項４１に記載のｅＮＢ（１４、２０）。
【請求項４３】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項３９から４２のいずれか１項に記載のｅＮＢ（１４、２０）。
【請求項４４】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項３９から４２のいずれか１項に記載のｅＮＢ（１４、２０）。
【発明の詳細な説明】
【技術分野】
【０００１】
本開示は、アップリンク（ＵＬ）のキャリアアグリゲーション（ＣＡ）に関し、特に、問題のあるＵＬのＣＡの組み合わせ（例えば、装置内共存（In-Device Coexistence（ＩＤＣ）の問題）を経験する、または経験すると予想される、ＵＬのＣＡの組み合わせ）のシグナリングに関する。
【背景技術】
【０００２】
より多くのモバイルデバイス、スマートフォン等は、種々のネットワークへアクセスするために、複数の無線送受信器を装備している。そして、装備するだろう。例えば、ユーザ装置（ＵＥ）は、第３世代パートナーシッププロジェクト（３ＧＰＰ）のロングタームエヴォリューション（ＬＴＥ）送受信器、ＩＥＥＥ８０２．１１（すなわちＷｉＦｉ）送受信器、Ｂｌｕｅｔｏｏｔｈ（登録商標）送受信器、および、グローバルナビゲーションサテライトシステム（ＧＮＳＳ）受信器を装備し得る。同じＵＥ内の無線送受信器は、空間的に互いに近い（すなわち、共同配置されている）。それにより、同じＵＥ内の無線送受信器は、隣接する周波数またはサブハーモニック周波数で動作する場合、１つの無線送受信器の送信器に関連付けられた送信は、別の無線送受信器の受信器と干渉し得る。この干渉の状況は、ＩＤＣの干渉シナリオまたはＩＤＣの干渉状況と称される。
【０００３】
ＩＤＣの干渉問題またはＩＤＣの干渉状況に対処する１つのアプローチは、共同配置された無線送受信器間のＩＤＣ干渉を、フィルタリングすることにより最小化することである。しかしながら、これは、技術的にチャレンジングで費用が掛かることから、代替の解決策が必要となる。別のアプローチは、無線送受信器間で干渉を低減させるために、周波数領域または時間領域のいずれかで、干渉信号を本質的に移動させることである。
【０００４】
３ＧＰＰ ＬＴＥリリース（Ｒｅｌ）１１では、ＩＤＣの干渉回避のためのシグナリングメカニズムが規格化されている。ＩＤＣの干渉回避のサポートにおいて、ＵＥとネットワーク（例えば、進化型ノードＢ（ｅＮＢ）等の基地局）間のシグナリングが導入された。ＩＤＣの機能性をサポートするＵＥは、この能力をネットワークに知らせ、ネットワークは、個別のシグナリングにより、ＵＥがＩＤＣの指標を送信することが許容されるかを設定することができる。
【０００５】
３ＧＰＰ  ＬＴＥ  Ｒｅｌ−１１では、ＵＥは、測定対象（Measurement Object（MO））が設定された進化型ユニバーサル地上波無線ネットワーク（Ｅ−ＵＴＲＡ）アップリンク／ダウンリンク（ＵＬ／ＤＬ）キャリアに対するＩＤＣの指標を送信するのみであり得る。ＵＥが、ＵＥ自身で解決することのできずネットワークの介在が必要となるＩＤＣ干渉のレベルを経験した場合、ＵＥは個別の無線リソース制御（ＲＲＣ）シグナリングを介して、ＩＤＣ干渉の問題をネットワークに報告するために、ネットワークにＩＤＣの指標を送信する。すなわち、ＩＤＣの指標は、ＵＥがＵＥにより解決することのできないＩＤＣ干渉のレベルを経験していることをネットワークに知らせる指標である。ＩＤＣの指標は、好ましくは、潜在的な干渉の仮定または推定よりむしろ、サービング周波数および／または非サービング周波数上の実際の現在のＩＤＣ干渉に基づいて、トリガされる。ＵＥから受信したＩＤＣの指標を介してＩＤＣの問題が通知された場合、ｅＮＢは、ＩＤＣ干渉を低減または回避するために、例えば、周波数分割多重（ＦＤＭ）の解決策または時間分割多重（ＴＤＭ）の解決策を適用し得る。
【０００６】
ＦＤＭの解決策の一例は、進化型ユニバーサル地上波無線アクセスネットワーク（Ｅ−ＵＴＲＡ）内で周波数間のハンドオーバを行うことにより、または広帯域符号分割多重アクセス（ＷＣＤＭＡ）または同様の技術へのＲＡＴ間ハンドオーバを行うことにより、産業的、科学的、医学的（ＩＳＭ）な帯域から、ＬＴＥ信号を遠く移動させることである。ＴＤＭの解決策の一例は、無線信号の送信が、同じタイムスロットまたは期間の間において、別の無線信号の受信と一致しないことを保証することである。ＴＤＭのパターン（すなわち、ＵＥのＬＴＥ送受信器がスケジュールされるかスケジュールされないかの期間）を提供するために、ＬＴＥの非連続受信（ＤＲＸ）のメカニズムが使用され得る。ＤＲＸベースのＴＤＭの解決策は、好ましくは、予測可能な方法において使用される。例えば、ｅＮＢは、ＤＲＸタイプのメカニズムを用いて、スケジュールされない期間の予測可能なパターンを保証する。
【０００７】
ｅＮＢが適切な解決策を選択することを支援するために、ＦＤＭとＴＤＭの解決策の両方に対するＩＤＣ支援情報が、ＩＤＣの指標内で、ＵＥによりｅＮＢに対して送信され得る。ＩＤＣ支援情報は、例えば、現在の干渉を被るＥ−ＵＴＲＡキャリアのリスト、干渉の方向、サービングＥ−ＵＴＲＡキャリア上のＴＤＭの解決策に対する適切なＤＲＸ構成を可能とするためのＴＤＭパターンまたはパラメータ、および／または、干渉が終わっていれば指標、を含む。ｅＮＢ間ハンドオーバのケースでは、ＩＤＣ支援情報は、好ましくは、ソースｅＮＢからターゲットｅＮＢに転送される。
【０００８】
ＩＤＣの指標の禁止タイマ等の禁止メカニズムは、不必要なＩＤＣの指標のシグナリングを避けるために、ＵＥがＩＤＣの指標を送信する時間間隔を制限するために使用され得る。例えば、禁止タイマは、先のＩＤＣの指標メッセージを前に送ってすぐ後に、ＵＥが別のＩＤＣの指標メッセージを送信することを禁止することができる。
【０００９】
［キャリアアグリゲーション（ＣＡ）］
ＬＴＥ  Ｒｅｌ−１０の規格では、２０メガヘルツ（ＭＨｚ）より大きい帯域をサポートする。ＬＴＥ  Ｒｅｌ−１０における重要な要件は、ＬＴＥ  Ｒｅｌ−８との下位互換性を保証することである。これはまた、スペクトルの互換性を含む。そのことは、２０ＭＨｚより広いＬＴＥ  Ｒｅｌ−１０のキャリアは、ＬＴＥ  Ｒｅｌ−８の端末／ＵＥに対するいくつかのＬＴＥキャリアとして現れるべきであることを暗示している。それぞれのそのようなキャリアは、コンポーネントキャリア（ＣＣ）と称すことができる。特に、初期のＬＴＥ  Ｒｅｌ−１０の配備に対しては、多くのＬＴＥレガシーＵＥと比較して、少数のＬＴＥ  Ｒｅｌ−１０対応のＵＥが存在すると予測することができる。したがって、レガシーＵＥに対しても広いキャリアの効率的な使用を保証する必要がある。すなわち、レガシーＵＥが広帯域のＬＴＥ  Ｒｅｌ−１０のキャリアの全ての部分においてスケジュールされることが可能なキャリアを実装することができる。これを達成する１つの方法は、ＣＡの手段によるだろう。ＣＡは、ＬＴＥ  Ｒｅｌ−１０のＵＥが複数のＣＣを受信することを暗示している。ここで、ＣＣは、Ｒｅｌ−８のキャリアと同じ構成を有する、または少なくとも有する可能性がある。ＣＡを図１に示す。ＣＡ対応のＵＥは、常にアクティベートされているプライマリセル（ＰＣｅｌｌ）、および動的にアクティベートまたは非アクティベートされ得る１つ以上のセカンダリセル（ＳＣｅｌｌｓ）に配置される。
【００１０】
アグリゲートされたＣＣの数と同様に個別のＣＣの帯域は、アップリンクとダウンリンクで異なり得る。対称な構成は、ダウンリンクとアップリンクにおけるＣＣの数が同じケースに関する。一方、非対称な構成は、アップリンクにおけるＣＣの数とダウンリンクにおえるＣＣの数が異なるケースに関する。セルにおいて構成されるＣＣの数は、ＵＥから見たＣＣの数と異なり得ることを指摘することが重要である。例えば、セルが同じ数のアップリンクのＣＣとダウンリンクのＣＣで構成される場合であっても、ＵＥは、アップリンクのＣＣより多くのダウンリンクのＣＣをサポートし得る。
【００１１】
また、ＣＡの重要な特徴は、キャリア間スケジューリングを実行する能力である。このメカニズムにより、１つのＣＣ上の（強化型または進化型）物理ダウンリンク制御チャネル（（Ｅ）ＤＰＣＣＨ）が、（Ｅ）ＤＰＣＣＨメッセージの最初に挿入された３ビットのキャリアインジケータフィールド（ＣＩＦ）の手段により、別のＣＣ上でのデータ送信をスケジュールすることが許容される。所与のＣＣにおけるデータ送信（すなわち、物理ダウンリンク共有チャネル（ＰＤＳＣＨ）送信）に対しては、ＵＥは、単純に１つのＣＣ（キャリア間スケジューリングを介して同じＣＣまたは異なるＣＣのいずれか）において（Ｅ）ＤＰＣＣＨにおけるスケジューリングメッセージを受信することが予測される。（Ｅ）ＰＤＣＣＨからＰＤＳＣＨへのこのマッピングはまた、準静的に構成される。
【００１２】
ＵＥは、その能力のシグナリングにおいてＣＡをサポートするかの指標をシグナリングする。ＵＥによりサポートされるバンドの組み合わせを示すために、バンドの組み合わせがシグナリングされる。バンドの組み合わせは、ＤＬとＵＬの両方のキャリアの各バンドのエントリ、および、サポートする多入力多出力（ＭＩＭＯ）およびチャネル状態情報（ＣＳＩ）の能力に対する情報を含む。バンド内非接触ＣＡについては、バンドの組み合わせにおける各バンドに対して複数のバンドのエントリが存在することができる。
【００１３】
ＵＬのＣＡは、Ｒｅｌ−１０において規格化されており、ＵＬのＣＡに対するＲａｄｉｏ  Ａｃｃｅｓｓ  Ｎｅｔｗｏｒｋ  Ｗｏｒｋｉｎｇ  Ｇｒｏｕｐ  ４（ＲＡＮ４）の必須要件は完全化されている。その前は、ＣＡは、主にＤＬキャリアのアグリゲーションと関係していた。ＵＬのＣＡに対しては、Ｒｅｌ−１１  ＩＤＣに関して、対処されていない、または、議論されていない、いくつかの新しい問題が挙がっている。
【発明の概要】
【００１４】
本開示は、アップリンク（ＵＬ）キャリアアグリゲーション（ＣＡ）における装置内共存（ＩＤＣ）の問題をシグナリングするための方法、装置、およびシステムを提供する。進化型ノードＢ（ｅＮＢ）と通信するユーザ装置（ＵＥ）における方法の実施形態が開示される。いくつかの実施形態において、ＵＥにおける方法は、問題のあるＵＬのＣＡの組み合わせの情報を含むＩＤＣの指標をｅＮＢに送信することを含む。これにより、ｅＮＢは、ｅＮＢがＵＬのＣＡに対してどの周波数を回避する必要があるかを推定するための指標が提供される。
【００１５】
いくつかの実施形態では、アップリンクのキャリアアグリゲーションの組み合わせがＵＥによりサポートされるアップリンクキャリアの組み合わせであり、全ての対応するダウンリンクキャリアに対して測定対象が設定され、ＵＥがアップリンクキャリアアグリゲーションの組み合わせに起因するＩＤＣの問題に経験する、または経験すると予想する場合にだけ、ＵＥは、アップリンクキャリアアグリゲーションの組み合わせを問題があるとして示す。さらに、いくつかの実施形態では、問題のあるＵＬのＣＡの組み合わせは、ＵＥがＩＤＣの問題を経験するＵＬのＣＡの組み合わせである。
【００１６】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００１７】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【００１８】
ＵＥと通信するｅＮＢにおける方法の実施形態も開示される。いくつかの実施形態では、ｅＮＢにおける方法は、問題のあるＵＬのＣＡの組み合わせの情報を含むＩＤＣの指標をＵＥから受信することを含む。いくつかの実施形態では、ｅＮＢは、受信した問題のあるＵＬのＣＡの組み合わせの情報から、ＵＬのＣＡを回避するための周波数を推定する。
【００１９】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。さらに、いくつかの実施形態では、問題のあるＵＬのＣＡの組み合わせは、ＵＥがＩＤＣの問題を経験するＵＬのＣＡの組み合わせである。
【００２０】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００２１】
いくつかの実施形態では、ＩＤＣの指標は、問題のあるＵＬのＣＡの組み合わせに対する、対応するダウンリンクキャリアの全てに対する測定対象のアイデンティティのセットを含む。
【００２２】
ｅＮＢと通信するためのＵＥの実施形態も開示される。いくつかの実施形態において、ＵＥは、問題のあるＵＬのＣＡの組み合わせの情報を含むＩＤＣの指標をｅＮＢに送信するように適合される。
【００２３】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。
【００２４】
いくつかの実施形態では、問題のあるＵＬのＣＡの組み合わせは、ＵＥがＩＤＣの問題を経験するＵＬのＣＡの組み合わせである。
【００２５】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００２６】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【００２７】
ＵＥと通信するｅＮＢの実施形態も開示される。いくつかの実施形態において、ｅＮＢは、問題のあるＵＬのＣＡの組み合わせの情報を含むＩＤＣの指標をＵＥから受信するように適合される。いくつかの実施形態では、ｅＮＢは受信した問題のあるＵＬのＣＡの組み合わせの情報から、ＵＬのＣＡを回避するための周波数を推定するように適合される。
【００２８】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。更に、いくつかの実施形態では、問題のあるＵＬのＣＡの組み合わせは、ＵＥがＩＤＣの問題を経験するＵＬのＣＡの組み合わせである。
【００２９】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００３０】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【００３１】
いくつかの実施形態では、ｅＮＢと通信を行うためのＵＥは、少なくとも１つの送受信器、少なくとも１つのプロセッサ、および、少なくとも１つのプロセッサにより実行可能な命令を記憶するメモリを有し、それにより、ＵＥは、少なくとも１つの送受信器を介して、問題のあるＵＬのＣＡの組み合わせの情報を含むＩＤＣの指標をｅＮＢに送信するように動作可能である。
【００３２】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。更に、いくつかの実施形態では、問題のあるＵＬのＣＡの組み合わせは、ＵＥがＩＤＣの問題を経験するＵＬのＣＡの組み合わせである。
【００３３】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００３４】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【００３５】
いくつかの実施形態では、ＵＥと通信を行うためのｅＮＢは、少なくとも１つの通信インタフェース、少なくとも１つのプロセッサ、および、少なくとも１つのプロセッサにより実行可能な命令を記憶するメモリを有し、それにより、ｅＮＢは、少なくとも１つの通信インタフェースを介して、問題のあるＵＬのＣＡの組み合わせの情報を含むＩＤＣの指標をＵＥから受信するように動作可能である。いくつかの実施形態では、ｅＮＢは、受信した問題のあるＵＬのＣＡの組み合わせの情報から、ＵＬのＣＡを回避するための周波数を推定するように適合される。
【００３６】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。いくつかの実施形態では、問題のあるＵＬのＣＡの組み合わせは、ＵＥがＩＤＣの問題を経験するＵＬのＣＡの組み合わせである。
【００３７】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００３８】
いくつかの実施形態では、ＩＤＣの指標は、各問題のあるＵＬのＣＡに対して、問題のあるＵＬのＣＡの組み合わせに対する、対応するダウンリンクキャリアの全てに対する測定対象のアイデンティティのセットを含む。
【００３９】
いくつかの実施形態において、ｅＮＢと通信するためのＵＥは、問題のあるＵＬのＣＡの組み合わせの情報を含むＩＤＣの指標をｅＮＢに送信するように動作可能な  問題組み合わせモジュールを有する。
【００４０】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。いくつかの実施形態では、問題のあるＵＬのＣＡの組み合わせは、ＵＥがＩＤＣの問題を経験するＵＬのＣＡの組み合わせである。
【００４１】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００４２】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【００４３】
いくつかの実施形態では、ＵＥと通信するためのｅＮＢは、問題のあるＵＬのＣＡの組み合わせの情報を含むＩＤＣの指標をＵＥから受信するすように動作可能な受信モジュールを有する。いくつかの実施形態では、ｅＮＢは更に、受信した問題のあるＵＬのＣＡの組み合わせの情報から、ＵＬのＣＡを回避するための周波数を推定するように動作可能な推定モジュールを有する。
【００４４】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。いくつかの実施形態では、問題のあるＵＬのＣＡの組み合わせは、ＵＥがＩＤＣの問題を経験するＵＬのＣＡの組み合わせである。
【００４５】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【００４６】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【００４７】
更なる実施形態は、１つ以上の送受信器、少なくとも１つのプロセッサ、および少なくとも１つのプロセッサにより実行可能な命令を記憶するメモリを有するユーザ装置を有し、それにより、ＵＥは、少なくとも１つの問題のあるアップリンクキャリアアグリゲーションの周波数バンドの組み合わせを、ネットワークノードに対して送信するように動作可能である。
【００４８】
いくつかの実施形態では、ユーザ装置は更に、互換性の情報をネットワークノードに対して送信するように動作可能である。当該互換性の情報は、ユーザ装置によりサポートされる複数のアップリンクのキャリアアグリゲーションの周波数バンドの組み合わせを示し、少なくとも１つのインジケータを送信することは、各組み合わせについて、組み合わせが問題あるかを示す、複数のサポートされるバンドの組み合わせのビットマップを送信することを含む。
【００４９】
いくつかの実施形態では、ユーザ装置は更に、互換性の情報をネットワークノードに対して送信するように動作可能である。互換性の情報は、ユーザ装置によりサポートされる複数のアップリンクのキャリアアグリゲーションの周波数バンドの組み合わせを示し、少なくとも１つのインジケータを送信することは、問題のあるＵＬのＣＡの周波数バンドの組み合わせを含むインデックスのリストを送信することを含む。
【００５０】
いくつかの実施形態では、ユーザ装置は更に、複数の周波数バンドにおいて測定を行なうための設定をネットワークノードから受信するように動作可能である。ここで、少なくとも１つの問題のあるアップリンクキャリアアグリゲーションの周波数バンドの組み合わせは、ユーザが測定するように構成され、ＵＥが問題があると決定した、複数の周波数バンドの少なくとも１つの組み合わせである。
【００５１】
当業者であれば、本開示の範囲を理解し、添付の図面に関連付けられる以下の詳細な説明を読んだ後に、その追加的な観点を実現化するだろう。
【図面の簡単な説明】
【００５２】
本明細書に組み入れられ、一部を構成する添付の図面は、本開示のいくつかの観点を説明し、明細書と共に、本開示の原理を説明するために供される。
【図１】図１は、キャリアアグリゲーション（ＣＡ）における１００メガヘルツ（ＭＨｚ）のアグリゲートされた帯域を示す。
【図２】図２は、問題のあるバンドの組み合わせを示すビットマップに対する、本開示の第１の実施形態のＡＳＮ．１の例を示す。
【図３】図３は、問題のあるバンドの組み合わせを示すビットマップに対する、本開示の第２の実施形態のＡＳＮ．１の例を示す。
【図４】図４は、本開示のいくつかの実施形態に従うセルラ通信ネットワークを示す。
【図５】図５は、本開示の異なる実施形態に従う無線デバイス／ユーザ装置およびネットワークノードの動作を示す。
【図６】図６は、本開示の異なる実施形態に従う無線デバイス／ユーザ装置およびネットワークノードの動作を示す。
【図７】図７は、本開示の異なる実施形態に従う無線デバイス／ユーザ装置およびネットワークノードの動作を示す。
【図８】図８は、本開示の異なる実施形態に従う無線デバイス／ユーザ装置およびネットワークノードの動作を示す。
【図９】図９は、本開示の異なる実施形態に従う無線デバイス／ユーザ装置およびネットワークノードの動作を示す。
【図１０】図１０は、本開示のいくつかの実施形態に従う無線デバイスを示すブロック図である。
【図１１】図１１は、本開示のいくつかの実施形態に従う無線デバイスを示すブロック図である。
【図１２】図１２は、本開示のいくつかの実施形態に従うネットワークノードを示すブロック図である。
【図１３】図１３は、本開示のいくつかの実施形態に従うネットワークノードを示すブロック図である。
【発明を実施するための形態】
【００５３】
以下に説明する実施形態は、当業者が実施形態を実行するための情報を表し、実施形態を実行するベストモードを説明する。添付の図面の観点から以下の説明を読むと、当業者は本開示の観点を理解し、ここに特に検討しない、これらの観点のアプリケーションを認識するだろう。これらのコンセプトおよびアプリケーションは、本開示と添付のクレームの範囲に含まれると理解されるべきである。
【００５４】
より多くのモバイル機器（例えば、スマートフォン等）は、種々のネットワークへアクセスするために、複数の無線送受信器を装備し、または、装備するだろう。例えば、ＵＥは、３ＧＰＰ  ＬＴＥ送受信器、ＩＥＥＥ８０２．１１送受信器、Ｂｌｕｅｔｏｏｔｈ送受信器、および、グローバルナビゲーションサテライトシステム（ＧＮＳＳ）受信器を装備し得る。同じＵＥ内の無線送受信器は、空間的に互いに近い（すなわち、共同設置されている）。それにより、同じＵＥ内の無線送受信器は、隣接する周波数またはサブハーモニック周波数で動作する場合、１つの無線送受信器の送信器に関連付けられた送信は、別の無線送受信器の受信器と干渉し得る。この干渉の状況は、装置内共存（ＩＤＣ）の干渉シナリオまたはＩＤＣの干渉状況と称される。
【００５５】
近年、ＵＬのＣＡ方式に従って動作するＵＥにより送信されるような、２つ以上の同時のアップリンク（ＵＬ）バンド間送信により、共同設置されたＧＮＳＳ受信器に対する潜在的な干渉をもたらす相互変調（ＩＭ）積が引き起こされることが、問題として挙げられている。３ＧＰＰのＬＴＥに対して現在規定されている、２つのＵＬコンポーネントキャリア（ＣＣ）（２ＵＬ）バンド間キャリアアグリゲーション（ＣＡ）の構成の半分近くは、ＧＮＳＳの受信バンドに含まれる５次までのＩＭ積を生成し、それがＩＤＣの問題を引き起こしている。ＧＮＳＳ受信器における２ＵＬバンド間ＣＡに起因する５次のＩＭの影響であっても、無視はできない。また、他のシステム（Ｂｌｕｅｔｏｏｔｈ、無線ローカルエリアネットワーク（ＷＬＡＮ）等）が、ＵＬのＣＡからのＩＭ積の影響を受けることが認定されている。
【００５６】
ＩＤＣのメカニズム（すなわち、ＩＤＣ干渉を避けるメカニズム）が、３ＧＰＰ  ＬＴＥのリリース（Ｒｅｌ）１１において導入された。このＩＤＣのメカニズムは、ＵＥがＬＴＥと産業、科学、医学（ＩＳＭ）／ＧＮＳＳ信号との間の干渉を受ける、問題のシナリオを対処した。ＬＴＥが被害者であるケースとＬＴＥが攻撃者であるケースの両方が考慮された。しかしながら、ＵＬのＣＡの問題は、３ＧＰＰ  ＬＴＥのＲｅｌ−１１のＩＤＣ回避メカニズムに対して考慮されたものではない。
【００５７】
３ＧＰＰ  ＬＴＥのＲｅｌ−１１のＩＤＣメカニズムでは、ＵＥは、問題のあるＬＴＥ周波数（それが測定対象（ＭＯ）を示すことにより）を示し、その後、パラメータinterferenceDirectionと共に、ＬＴＥ周波数が被害者か攻撃者であるかを示す。３ＧＰＰ  ＬＴＥ  Ｒｅｌ−１１において、問題のあるＬＴＥ周波数／キャリアは、ＵＥがＩＤＣの問題を経験しているものである（すなわち、ＩＤＣの干渉は、ＵＥ自身により解決できないレベルにおけるものである）。方向が「ｅｕｔｒａ」である場合、ｅＮＢはＬＴＥダウンリンクでの問題のある送信を回避することが可能であり、方向が「ｏｔｈｅｒ」である場合、ｅＮＢはＬＴＥ  ＵＬでの問題のある送信を可否することが可能である。方向が「ｂｏｔｈ」である場合、ＵＬとＤＬ両方の送信／受信を考慮する必要がある。
【００５８】
３ＧＰＰ  ＬＴＥ  Ｒｅｌ−１１において規定された現在のＩＤＣメカニズムに対するシグナリングを用いる場合、現在のＩＤＣメカニズムに対するシグナリングは単一の周波数のみをリストすることから、ネットワークは、複数の周波数のＣＡの組み合わせのＩＭ積が問題であることを予測することはできない。代わりに、ｅＮＢは、キャリアは、プライマリセル（ＰＣｅｌｌｓ）においても使用することができないことを、間違って予測し得る。しがたって、いくつかの追加的な情報が必要となる。
【００５９】
この問題に対処する第１つのオプションは、ＵＬのＣＡの組み合わせが問題であることの情報が、ＩＤＣの指標に含まれることである。この方法によれば、ｅＮＢ（すなわち、ネットワーク）は、どのＬＴＥ周波数を、ＵＬのＣＡに対して避ける必要があるかを、直接的に推定することができる。
【００６０】
この問題に対処する第２のオプションは、ＵＥに実装されているＧＮＳＳ受信器のＧＮＳＳタイプを含めることである。この情報から、ｅＮＢは、どのＵＬのＣＡが問題があるかを導出することできる。しかしながら、このアプローチには２つの問題がある。すなわち、１）このアプローチは、ＢｌｕｅｔｏｏｔｈおよびＷＬＡＮ（例えばＷｉＦｉ）のケースに適用可能ではなく、２）ＵＥの実装に依存して、異なる変調次数に起因する干渉問題が変化し得ることである。
【００６１】
この問題を対処する第３のオプションは、被害者の周波数（ＩＳＭまたはＧＮＳＳ周波数）と帯域を、被害者の技術と共にｅＮＢにシグナリングするＵＥに対するものである。しかしながら、このアプローチは、現在のＩＤＣメカニズムと同様な問題を有する。すなわち、ｅＮＢに対しては、どのＬＴＥ周波数／キャリアを制限するかを決定することが難しい。
【００６２】
本開示の実施形態は、シグナリング負荷を制限するという方法で、どのようにＵＥが問題のあるＵＬキャリア周波数を示すかに関するメカニズムを提供する。この指標に基づいて、ｅＮＢは、ＬＴＥキャリア周波数におけるＵＬ送信を減らすことができ、これにより干渉を回避することができる。
【００６３】
いくつかの実施形態では、ＵＬのＣＡの場合のＩＤＣの問題を解決するための解決策は、ＬＴＥ側における問題のあるＵＬのＣＡの組み合わせをシグナリングすることである。これは、ｅＮＢが問題を解決するための適切な情報であり得る。
【００６４】
［ＵＥの能力シグナリングを利用したＩＤＣシグナリング］
原則として、ＵＥは、ＩＤＣの指標において、問題となる全ての可能性のあるＵＬのＣＡの組み合わせをシグナリングし得る。シグナリングは、キャリアの組み合わせにおけるアグリゲーションの候補となる各キャリアに対して、周波数情報（例えば中央周波数および帯域）を含む。しかしながら、多くの組み合わせが存在するため、シグナリングのオーバーヘッドは極めて大きくなり得る。
【００６５】
ここに開示する実施形態は、周波数情報が既に与えられている、ＵＥの能力シグナリングを利用する。いくつかの実施形態では、ＵＥは、ＵＥの能力シグナリングにおいてバンドの組み合わせのエントリを参照するインデックスをシグナリングし、どのＵＬのＣＡの組み合わせがＩＤＣ干渉に影響を受けるかを示す。ＵＥの能力シグナリングには、ＵＥがＣＡをサポートする全てのバンドの組み合わせのリストを含み得る。各バンドのエントリは、バンド周波数、帯域、クラス等の情報を含む。
【００６６】
ＬＴＥ  Ｒｅｌ−１０において、１２８の潜在的な組み合わせが存在し（maxBandComb-r10）、Ｒｅｌ−１１では２５６の潜在的な組み合わせが存在する（maxBandComb-r11）。
【００６７】
第１の実施形態では、シグナリングは、対応するバンドの組み合わせが問題があるかを示すビットマップを含む。ここで、能力リストにおける対応するバンドの組み合わせがＩＤＣ干渉から影響を受ける場合はビットは“１”であり、それ以外は“０”である。ビットマップの長さは、能力シグナリングにおけるバンドの組み合わせの数に対応する。図２は、第１の実施形態のＡＳＮ．１の例を示す。
【００６８】
第２の実施形態では、ＵＥは、問題のあるバンドの組み合わせに対するインデックスのリストを示すことができる。そのため、ＵＥは、例えば、ＵＥ能力のシグナリングにおいて、バンドの組み合わせのリストにおいて５番目のバンドの組み合わせがＩＤＣの問題を受けていることをシグナリングする。図３は、第２の実施形態のＡＳＮ．１の例を示す。
【００６９】
バンドの組み合わせのほとんどが干渉の影響を受ける場合には、第１の実施形態が良い。ほんの少しの組み合わせが干渉の影響を受ける場合には、第２の実施形態がより良い。
【００７０】
［測定対象のアイデンティティ（ＩＤｓ）を利用したＩＤＣシグナリング］
ＬＴＥ  Ｒｅｌ−１１では、ＵＥは、発生している、または発生すると予測されるＩＤＣの問題を、測定対象が設定されるキャリア上／キャリアにより、報告することが許容されるのみであった（3GPP TS 36.331 (version 11.1.0, Sep. 2012), section 5.6.9.3から：「IE affectedCarrierFreqListを、測定対象が設定される、各影響されたＥ−ＵＴＲＡキャリア周波数に対するエントリに含める」）。これは、ネットワークが典型的にはサービングセルのようにそれを設定する前にキャリア上でＲＲＭ測定を設定するという仮定に基づいた。測定対象が設定されるとすぐに、ＵＥは予想されるＩＤＣの問題を報告すべきである。
【００７１】
同じ原理に従って、ＵＥは、測定対象がその組み合わせの全ての対応するＤＬキャリアに対して設定される場合、ＵＬキャリアのサポートされる組み合わせに対するＩＤＣの問題を知らせる。
ａ）測定対象は、全ての（対応するＤＬ）キャリアに対して設定される
ｂ）ＵＥは、それらのキャリアの間でＵＬのＣＡをサポートする
ｃ）ＵＥは、キャリアの組み合わせに起因するＩＤＣの問題を経験する、または、経験すると予想する。
【００７２】
本実施形態では、キャリアの組み合わせは、対応するMeasObjectId（すなわち測定対象のＩＤ）のセットにより識別される。基準値として５ＣＣまでのＬＴＥ  Ｒｅｌ−１０  ＣＡを仮定すると、各組み合わせに対して、５つまでのMeasObjectIdを示すことが可能である。ＬＴＥ  Ｒｅｌ−１３では、組み合わせのより多くの対象が存在し得る。
【００７３】
ここで、この解決策の例を示す。
●ＵＥは、バンド１、２、３、４をサポートする。バンドのそれぞれは、ａとｂと称する、２つの利用可能なキャリアを有する。ＵＥは、１＋２および１＋３のＵＬのＣＡをサポートする。
●ステップ１：ＵＥは、バンド１（１ａと呼ぶ）のキャリアでそのＰＣｅｌｌを有する。１ａに対するmeasObject（ＩＤ＝０）を有するが、ＩＤＣの問題は有さない。
＝＞ＩＤＣ報告なし
●ステップ２：ｅＮＢは、キャリア３ｂに対してmeasObject（ＩＤ＝１）を設定する。ＵＥは、ＵＬまたはＤＬのＩＤＣの問題を有さない。
＝＞ＩＤＣ報告なし
●ステップ３：ｅＮＢは、キャリア２ａに対してmeasObject（ＩＤ＝２）を設定する。ＵＥは、緊急のＩＤＣ問題を有さないが、ｅＮＢがキャリア１ａと２ａ間でＵＬのＣＡを設定する場合に問題を有し得ることを知っている。
＝＞ＵＥは、ＩＤＣの指標“idcCombinations = [[0,2]]”（２つのキャリアを有する１つの組み合わせのみを有するリスト）を送信する。
＝＞ｅＮＢは、測定対象ＩＤが０および２（キャリア１ａおよび２ａ）に対応するキャリアがＵＬのＩＤＣ問題を引き起こすことを知っている。
●ステップ４：ＵＥは、ＷＬＡＮをもはや必要とせず、１ａと２ａのＵＬの組み合わせはもはや問題を起こさない。
●ステップ５：ＵＥはＩＤＣの指標“idcCombinations = []”を送信する。
＝＞ｅＮＢは、ＵＬのＣＡを設定する。
【００７４】
［異なる解決策の組み合わせ］
組み合わせた実施形態の解決策において、ＵＥは、上述し、図５を参照して以下に表すように、問題のあるＣＡの構成を示すために、ＵＥの能力シグナリングにおいて、バンドの組み合わせに関するインデックスをシグナリングする。しかしながら、いくつかの実施形態では、測定物（すなわち、測定対象）が対応するキャリアに対して設定される場合にのみ、ＵＥはそのようなインデックスをシグナリングすることが許容される。
【００７５】
また、いくつかの実施形態では、ｅＮＢは、どの解決策を無線リソース制御（ＲＲＣ）シグナリングと共に使用するかを設定し得る。ｅＮＢが典型的にＣＡを設定する前に測定物を設定する場合、「測定対象のＩＤを利用したＩＤＣシグナリング」のセクションで上述し、図６と図７を参照して以下に説明するような解決策を設定することができる。一方、測定物が設定されなくてもｅＮＢがＩＤＣの問題に興味がある場合は、第１および第２の実施形態を参照して上述し、「ＵＥの能力シグナリングを利用したＩＤＣシグナリング」のセクションで上述し、図５を参照して以下に説明するような、メカニズムを構成する。
【００７６】
［上述の実施形態に従う例示的なシステム構成とその動作］
図４は、本開示のいくつかの実施形態に従うセルラ通信ネットワーク１０を示す。いくつかの実施形態では、セルラ通信ネットワーク１０はＬＴＥ（すなわち、ＬＴＥまたはＬＴＥアドバンスト）セルラ通信ネットワークである。そのため、ＬＴＥの用語がしばしば本開示を通じて使用される。しかしながら、ここで開示する概念および実施形態は、ＬＴＥに限定されず、あらゆる適切な種類のセルラまたは無線ネットワークにおいて使用され得る。
【００７７】
図示するように、セルラ通信ネットワーク１０は、複数の基地局１４−１、１４−２（一般的にここでは、まとめて基地局１４と称し、個々に基地局１４と称す）を含む無線アクセスネットワーク（ＲＡＮ）１２を含む。基地局１４は、基地局１４のカバレッジ（例えばセル）内で無線デバイス１６−３（一般的にここでは、まとめて無線デバイス１６と称し、ここに無線デバイス１６と称す）へ無線アクセスを提供する。基地局１４は、コアネットワーク１８に接続されている。なお、明確化および説明の簡単化のために、２つの基地局１４と３つの無線デバイス１６のみが本例において図示されているが、セルラ通信ネットワーク１０は、多くの無線デバイス１６に対してサービスを提供する多くの基地局１４を含み得る。ＬＴＥの用語では、無線デバイスはＵＥと称され、同様に、無線デバイス１６は時に、ここではＵＥ１６と称される。同様に、ＬＴＥの用語では、基地局は、発展型または拡張型のノードＢ（ｅＮＢ）と称され、ゆえに、基地局は時にｅＮＢ１４と称される。本実施形態では、基地局１４はマクロ基地局であるが、ＲＡＮ１２は、マクロ基地局および低電力基地局（すなわち、ピコ基地局、フェムト基地局、ホーム基地局等）の混合を含み得る。無線デバイス１６のいくつかは、マシーン・ツー・マシーン（Ｍ２Ｍ）通信を実行するＭＴＣ機器であり得る。ＭＴＣデバイスのいくつかの例は、スマートメータ、サインボード、カメラ、リモートセンサ、ラップトップおよぶアプライアンスである。この例では、無線デバイス１６−２は、ＭＴＣデバイスである。
【００７８】
図５から図８は、上述の少なくともいくつかの実施形態を図示する。図５は、「ＵＥの能力シグナリングを使用したＩＤＣシグナリング」のセクションで詳述した、第１および第２の実施形態を含む、ＵＥの能力シグナリングを利用するＩＤＣシグナリングを示す。特に、能力情報を受信するネットワークノードは、問題のあるＵＬのＣＡ周波数バンドの組み合わせのインジケータを受信するネットワークノードと同じ、または異なり得る。
【００７９】
図５の処理を、ＵＥ１６とネットワークノード２０に関して説明する。ネットワークノード２０は、例えば、基地局１４（例えばｅＮＢ）、複数の基地局１４（例えば複数のｅＮＢ）、またはいくつかの他のネットワークノードであり得る。図示するように、ＵＥ１６は、能力情報をネットワークノード２０に送信する（ステップ１００）。上述したように、いくつかの実施形態では、能力情報は、無線デバイス１６がサポートするＣＡの全てのバンドの組み合わせのリストを含む。すなわち、能力情報は、ＵＥによりサポートされるＵＬのＣＡの全ての組み合わせのリスト（すなわち、全てのＵＬのＣＡの組み合わせのリスト）を含む、
【００８０】
ＵＥ１６は、１つ以上の問題のあるＵＬのＣＡの周波数バンドの組み合わせを決定する（ステップ１０２）。１つ以上の問題のあるＵＬのＣＡの周波数バンドの組み合わせは、ＵＥ1６がＩＤＣの問題を経験する、または、いくつかの実施形態ではＩＤＣの問題を経験すると予想される、１つ以上のＵＬのＣＡの周波数バンドの組み合わせである。ＩＤＣ干渉のレベルが、ＵＥ１６自身で解決できないレベルである場合に、ＩＤＣの問題が発生する。
【００８１】
ＵＥ１６は、１つ以上のＵＬのＣＡ周波数バンドの組み合わせの少なくとも１つのインジケータを、ネットワークノード２０に送信する（ステップ１０４）。上述したように、いくつかの実施形態では、当該少なくとも１つのインジケータは、ビットマップであり、それは、ステップ１００でネットワークノード２０に送信された能力情報において示される各組み合わせに対する個別のビットを含む。特定のビットの値は、対応する組み合わせに対してＩＤＣの問題があるか否かを示している（例えば、“１”はＩＤＣの問題があることを示し、“０”はＩＤＣの問題がないことを示す）。また、上述したように、いくつかの実施形態では、当該少なくとも１つのインジケータは、少なくとも１つのインデックスである。ここで、インデックスは、ステップ１００においてネットワークノード２０に提供された、ＵＥ１６によりサポートされる組み合わせのリストにおける対応する、エントリーを識別する。なお、当該少なくとも１つのインジケータが送信されるネットワークノード２０は、ステップ１００において能力情報が送信されるネットワークノード２０と同じ、または、同じでない可能性がある。オプション的に、ネットワークノード２０は、受信したインジケータに基づいて、１つ以上のアクションを行う（ステップ１０６）。１つ以上のアクションは、例えば、ＩＤＣの問題を回避するための１つ以上のアクションであり得る。
【００８２】
図６は、「測定対象のＩＤを利用したＩＤＣシグナリング」のセクションで上述した、第３の実施形態を含む、measurementObjectsIDsを利用するＩＤＣシグナリングを示す。特に、複数の周波数バンドで測定するための設定を送信するネットワークノード２０は、問題のあるＵＬのＣＡの周波数バンドの組み合わせのインジケータを受信するネットワークノード２０と同じ、または異なり得る。更に、図６に図示した測定構成は、例えば、１つ以上の測定対象を介すものである。
【００８３】
図６の処理を、ＵＥ１６とネットワークノード２０に関して説明する。ネットワークノード２０は例えば、基地局１４（例えばｅＮＢ）、複数の基地局１４（例えば複数のｅＮＢ）、またはいくつかの他のネットワークノードであり得る。図示するように、ネットワークノード２０は、複数の（すなわち、マルチの）周波数バンド上で測定するようにＵＥ１６を設定する（ステップ２００）。上述したように、いくつかの実施形態では、ネットワークノード２０は、ＵＥが測定を実行するキャリアに対して、測定対象と併せてＵＥ１６を設定する。測定対象は、対応する測定対象ＩＤを有する。
【００８４】
ＵＥ１６は、ＵＥ１６が測定を実行する周波数バンドから、１つ以上の問題のあるＵＬのＣＡの周波数バンドの組み合わせを決定する（ステップ２０２）。詳細には、上述したように、ＵＥ１６は、（ａ）測定対象がすべての（対応するＤＬ）キャリアに対して設定される場合、（ｂ）ＵＥ１６がそれらのキャリア間のＵＬのＣＡをサポートする場合、（ｃ）ＵＥ１６がそのキャリアの組み合わせによりＩＤＣの問題を経験する、または経験すると予想される場合に、特定のＵＬのＣＡの周波数バンドの組み合わせを問題があると判定する。
【００８５】
ＵＥは、１つ以上のＵＬのＣＡ周波数バンドの組み合わせの少なくとも１つのインジケータを、ネットワークノード２０に送信する（ステップ２０４）。上述したように、いくつかの実施形態では、各問題のあるＵＬのＣＡの周波数バンドの組み合わせに対して、少なくとも１つのインジケータは、対応する（ＤＬ）キャリアに対して、ＵＬ１６に対して設定される測定対象の測定対象ＩＤを含む。なお、当該少なくとも１つのインジケータが送信されるネットワークノード２０は、ステップ２００においてＵＥにより設定が受信されたネットワークノード２０と同じ、または、同じでない可能性がある。オプション的に、ネットワークノード２０は、受信したインジケータに基づいて、１つ以上のアクションを行う（ステップ２０６）。１つ以上のアクションは、例えば、ＩＤＣの問題を回避するための１つ以上のアクションであり得る。
【００８６】
図７は、図６の実施形態の１つの特定の例を示す。この例では、図７は、上述したように、設定は測定対象の設定であり、ＩＤＣの指標は測定対象ＩＤを含むことを図示している。それ以外は、図６を参照して説明したものと処理は同様である。特に、図７の処理は、ＵＥ１６とｅＮＢ１４に関して示されるが、処理は、より一般的には、無線デバイス１６とネットワークノード２０に適用可能である。図示するように、ｅＮＢ１４は、複数のダウンリンクキャリアに対して測定対象と共にＵＥ１６を設定する（ステップ３００）。ＵＥ１６は、１つ以上の問題のあるＵＬのＣＡの周波数バンドの組み合わせを決定する（ステップ３０２）。詳細には、上述したように、ＵＥ１６は、（ａ）測定対象がすべての（対応するＤＬ）キャリアに対して設定される場合、（ｂ）ＵＥ１６がそれらのキャリア間のＵＬのＣＡをサポートする場合、（ｃ）ＵＥ１６がそのキャリアの組み合わせによりＩＤＣの問題を経験する、または経験すると予想される場合に、特定のＵＬのＣＡの周波数バンドの組み合わせを問題があると判定する。
【００８７】
ＵＥ１６は、問題のあるＵＬのＣＡの周波数バンドの組み合わせの情報を含むＩＤＣの指標を、ｅＮＢ１４へ送信する（ステップ３０４）。一般的には、ＩＤＣの指標は、１つ以上の問題のあるＵＬのＣＡの組み合わせをｅＮＢ１４に示す測定対象のＩＤを含む。詳細には、上述したように、各問題のあるＵＬのＣＡの組み合わせに対して、ＩＤＣの指標は、問題のあるＵＬのＣＡの組み合わせに対する全ての対応するＤＬキャリアに対する測定対象のＩＤのセットを含む。なお、当該少なくとも１つのインジケータが送信されるｅＮＢ１４は、ステップ３００においてＵＥにより設定が受信されたネットワークノード１４と同じ、または、同じでない可能性がある。オプション的に、ｅＮＢ１４は、受信したインジケータに基づいて、１つ以上のアクションを行う（ステップ３０６）。１つ以上のアクションは、例えば、ＩＤＣの問題を回避するための１つ以上のアクションであり得る。
【００８８】
図８は、「異なる解決策の組み合わせ」のセクションで上述した実施形態に従うＩＤＣシグナリングを示す。特に、図８の処理は、ＵＥ１６とｅＮＢ１４に関して示されるが、処理は、より一般的には、無線デバイス１６とネットワークノード２０（例えば、基地局１４（例えばｅＮＢ）、複数の基地局１４（複数のｅＮＢ）、またはいくつかの他のネットワークノード）に適用可能である。図示するように、ＵＥ１６は、能力情報をｅＮＢ１４に送信する（ステップ４００）。上述したように、いくつかの実施形態では、能力情報は、ＵＥ１６がサポートするＣＡの全てのバンドの組み合わせのリストを含む。すなわち、能力情報は、ＵＬのＣＡの全ての組み合わせのリストを含む。また、ｅＮＢ１４は、複数の（すなわち、マルチの）周波数バンド上で測定するようにＵＥ１６を設定する（ステップ４０２）。上述したように、いくつかの実施形態では、ｅＮＢ１４は、ＵＥが測定を実行するキャリアに対して、測定対象を用いてＵＥ１６を設定する。測定対象は、対応する測定対象ＩＤを有する。
【００８９】
ＵＥ１６は、ＵＥ１６が測定を実行する周波数バンドから、１つ以上の問題のあるＵＬのＣＡの周波数バンドの組み合わせを決定する（ステップ４０４）。詳細には、上述したように、ＵＥ１６は、（ａ）測定対象がすべての（対応するＤＬ）キャリアに対して設定される場合、（ｂ）ＵＥ１６がそれらのキャリア間のＵＬのＣＡをサポートする場合、（ｃ）ＵＥ１６がそのキャリアの組み合わせによりＩＤＣの問題を経験する、または経験すると予想する場合に、特定のＵＬのＣＡの周波数バンドの組み合わせを問題があると判定する。
【００９０】
ＵＥは、１つ以上のＵＬのＣＡの周波数バンドの組み合わせの少なくとも１つのインジケータを、ｅＮＢ１４に送信する（ステップ４０６）。上述したように、いくつかの実施形態では、当該少なくとも１つのインジケータは、ビットマップであり、それは、ステップ４００でｅＮＢ１４に送信された能力情報において示される各組み合わせに対する個別のビットを含む。特定のビットの値は、対応する組み合わせに対してＩＤＣの問題があるか否かを示している（例えば、“１”はＩＤＣの問題があることを示し、“０”はＩＤＣの問題がないことを示す）。また、上述したように、いくつかの実施形態では、当該少なくとも１つのインジケータは、少なくとも１つのインデックスである。ここで、インデックスは、ステップ４００においてｅＮＢ１４に提供された、ＵＥ１６によりサポートされる組み合わせのリストにおける対応するエントリーを識別する。なお、当該少なくとも１つのインジケータが送信されるｅＮＢ１４は、ステップ４００において能力情報が送信されるｅＮＢ１４と同じ、または、同じでない可能性がある。オプション的に、ｅＮＢ１４は、受信したインジケータに基づいて、１つ以上のアクションを行う（ステップ４０８）。１つ以上のアクションは、例えば、ＩＤＣの問題を回避するための１つ以上のアクションであり得る。
【００９１】
図９は、「異なる解決策の組み合わせ」のセクションで上述した実施形態を示し、ここで、ｅＮＢ１４は、ＩＤＣシグナリングのために使用する解決策または技術を用いてＵＥ１６を設定する。特に、図９の処理は、ＵＥ１６とｅＮＢ１４に関して示されるが、処理は、より一般的には、無線デバイス１６とネットワークノード２０（例えば、基地局１４（例えばｅＮＢ）、複数の基地局１４（複数のｅＮＢ）、またはいくつかの他のネットワークノード）に適用可能である。図示するように、ｅＮＢ１４は、解決策の指標をＵＥ１６へ送信する（ステップ５００）。上述したように、解決策の指標は、ＲＲＣシグナリングを介して送信され得る（すなわち、使用する解決策はＲＲＣシグナリングを介して設定され得る）。例えば、測定がＣＡを設定する前に設定される場合、ｅＮＢ１４は、図６と図７を参照して上述した解決策を用いるようにＵＥ１６を設定し得る。一方、測定が設定されていない場合であってもネットワークがＩＤＣの問題に興味を示す場合、ｅＮＢ１４は、図５を参照して上述した解決策を用いるようにＵＥを設定し得る。ＵＥ１６は、ＩＤＣシグナリングを実行するために指示された解決策を用いる（ステップ５０２）。
【００９２】
図１０は、本開示のいくつかの実施形態に従う無線デバイス１６のブロック図である。図示するように、無線デバイス１６は、無線デバイス１６に、上述した方法および機能性を実装させるために動作する回路を含む。１つの例では、回路は、処理手段の形態におけるものであり、それは、１つ以上のプロセッサ２２（例えば１つ以上の中央処理ユニット（ＣＰＵ）、１つ以上の特定用途向け集積回路（ＡＳＩＣ）、および／または１つ以上のフィールド・プログラマブル・ゲート・アレイ（ＦＰＧＡ）、および、１つ以上のプロセッサ２２により実行可能な命令を含むメモリ２４を含み、これにより、無線デバイス１６は、説明したあらゆる実施形態に従って動作する。無線デバイス１６はまた、複数の無線送受信器２６（例えば、ＬＴＥ、ＷｉＦｉ、Ｂｌｕｅｔｏｏｔｈ（登録商標）、ＧＮＳＳ等）、および、各送受信器２６に対する少なくとも１つのアンテナ３２を有する。各送受信器２６は、１つ以上の送信器２８および／または１つ以上の受信器３０を有する。送受信器２６は、フィルタ、ミキサ、増幅器等の種々のタイプの回路を有する。
【００９３】
いくつかの実施形態では、コンピュータプログラムが命令を含んで提供され、少なくとも１つのプロセッサ２２により実行された場合に、当該少なくとも１つのプロセッサ２２に、説明した実施形態のいずれか１つに従った無線デバイス１６の機能性を実行させる。いくつかの実施形態では、キャリアは、上述したコンピュータプログラム製品を含む。キャリアは、電気信号、光信号、無線信号、または、コンピュータ読み取り可能な記憶媒体（例えば、メモリ２４等の非一時的なコンピュータ読み取り可能な媒体）のうち１つである。
【００９４】
図１１は、本開示のいくつかの実施形態に従う無線デバイス１６のブロック図である。無線デバイス１６は、コンピュータ読み取り可能な媒体（例えばメモリ）に実装され、無線デバイス１６のプロセッサにより実行される、問題組み合わせモジュール３４を有する。問題組み合わせモジュール３４は、少なくとも１つの問題のあるアップリンクのキャリアアグリゲーションの周波数バンドの組み合わせの、少なくとも１つのインジケータを、ネットワークノードへ送信するように動作する。
【００９５】
図１２は、本開示のいくつかの実施形態に従うネットワークノード２０のブロック図である。ネットワークノード２０は、あらゆるタイプのネットワークノード（例えば、基地局（例えばｅＮＢ）、モビリティ管理エンティティ（ＭＭＥ）、サービングゲートウェイ（Ｓ−ＧＷ）、パケットデータネットワーク（ＰＤＮ）ゲートウェイ（Ｐ−ＧＷ）等）であり得る。図示するように、ネットワークノード２０は、ネットワークノード２０に、説明した方法および機能性を実装させるために動作する回路を含む。１つの例では、ネットワークノード２０は、ベースバンドユニット３６を有し、それは、１つ以上のプロセッサ３８（例えば、１つ以上のＣＰＵ、１つ以上のＡＳＩＣ、および／または、１つ以上のＦＰＧＡ）と、１つ以上のプロセッサ３８により実行可能な命令を含むメモリ４０とを有し得る処理手段の形態の回路を含み、それにより、ネットワークノード２０は、ここに説明したあらゆる実施形態に従って動作する。図示するように、ネットワークノード２０は、ネットワークインタフェース４２も有し、それにより、ネットワークノード２０は、無線通信ネットワークにおいて１つ以上の追加的なネットワークノードと通信することが可能となる。ネットワークインタフェース４２は、ネットワークノード２０が他のシステムと接続するための１つ以上のコンポーネント（例えばネットワークインタフェースカード）を有し得る。
【００９６】
ネットワークノード２０が無線ネットワークノード（例えば基地局１４）である場合、ネットワークノード２０はまた、１つ以上のアンテナ５０と接続した１つ以上の送信器４６と１つ以上の受信器４８を含む、１つ以上の無線ユニット４４を有する。いくつかの実施形態では、ネットワークノード２０の機能性は、１つ以上のプロセッサ４８による実行のためにメモリ４０に格納されたソフトウェアにおいて実装される。いくつかの実施形態では、ネットワークノード２０は、上記に識別したあらゆる機能性および／または上述した解決策をサポートするために必要な機能性を含む、追加的な機能性を提供することを担う追加的なコンポーネントを有し得る。
【００９７】
図１３は、本開示のいくつかの実施形態に従うネットワークノード２０のブロック図である。ネットワークノード２０は、送信モジュール５２と受信モジュール５４を有し、それぞれは、コンピュータ読み取り可能な媒体（例えばメモリ）に実装され、ネットワークノード２０のプロセッサにより実行される。送信モジュール５２は、複数の周波数バンドで測定を行うための設定を提供するように動作する。受信モジュール５４は、ネットワークノード２０に送信された、ユーザ装置によりサポートされる複数のアップリンクキャリアアグリゲーションの周波数バンドの組み合わせを示す互換性の情報を受信し、少なくとも１つの問題なるアップリンクキャリアアグリゲーション周波数バンドの組み合わせの少なくとも１つのインジケータを受信するように動作する。特に、送信モジュール５２と受信モジュール５４は、同じネットワークノードまたは異なるネットワークノードの特徴に対応し得る。
【００９８】
本開示の実施形態の、いくつかの例示的で非限定的な例を以下に示す。
【００９９】
進化型ノードＢ（ｅＮＢ）と通信するユーザ装置（ＵＥ）における方法の実施形態が開示される。いくつかの実施形態において、ＵＥにおける方法は、問題のあるＵＬのＣＡの組み合わせの情報を含むＩＤＣの指標をｅＮＢに送信することを含む。これにより、ｅＮＢは、ｅＮＢがＵＬのＣＡに対してどの周波数を回避する必要があるかを推定するための指標が提供される。
【０１００】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。さらに、いくつかの実施形態では、問題のあるＵＬのＣＡの組み合わせは、ＵＥがＩＤＣの問題を経験するＵＬのＣＡの組み合わせである。
【０１０１】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１０２】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１０３】
ＵＥと通信するｅＮＢにおける方法の実施形態も開示される。いくつかの実施形態では、ｅＮＢにおける方法は、問題のあるＵＬのＣＡの組み合わせの情報を含むＩＤＣの指標をＵＥから受信することを含む。いくつかの実施形態では、ｅＮＢは、受信した問題のあるＵＬのＣＡの組み合わせの情報から、ＵＬのＣＡを回避するための周波数を推定する。
【０１０４】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。さらに、いくつかの実施形態では、問題のあるＵＬのＣＡの組み合わせは、ＵＥがＩＤＣの問題を経験するＵＬのＣＡの組み合わせである。
【０１０５】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１０６】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１０７】
ｅＮＢと通信するＵＥの実施形態も開示される。いくつかの実施形態において、ＵＥは、問題のあるＵＬのＣＡの組み合わせの情報を含むＩＤＣの指標をｅＮＢに送信するように適合される。
【０１０８】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。
【０１０９】
いくつかの実施形態では、問題のあるＵＬのＣＡの組み合わせは、ＵＥがＩＤＣの問題を経験するＵＬのＣＡの組み合わせである。
【０１１０】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１１１】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１１２】
ＵＥと通信するためのｅＮＢの実施形態も開示される。いくつかの実施形態において、ｅＮＢは、問題のあるＵＬのＣＡの組み合わせの情報を含むＩＤＣの指標をＵＥから受信するように適合される。いくつかの実施形態では、ｅＮＢは受信した問題のあるＵＬのＣＡの組み合わせの情報から、ＵＬのＣＡを回避するための周波数を推定するように適合される。
【０１１３】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。さらに、いくつかの実施形態では、問題のあるＵＬのＣＡの組み合わせは、ＵＥがＩＤＣの問題を経験するＵＬのＣＡの組み合わせである。
【０１１４】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１１５】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１１６】
いくつかの実施形態では、ｅＮＢと通信を行うためのＵＥは、少なくとも１つの送受信器、少なくとも１つのプロセッサ、および、少なくとも１つのプロセッサにより実行可能な命令を記憶するメモリを有し、それにより、ＵＥは、少なくとも１つの送受信器を介して、問題のあるＵＬのＣＡの組み合わせの情報を含むＩＤＣの指標をｅＮＢに送信するように動作可能である。
【０１１７】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。さらに、いくつかの実施形態では、問題のあるＵＬのＣＡの組み合わせは、ＵＥがＩＤＣの問題を経験するＵＬのＣＡの組み合わせである。
【０１１８】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１１９】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１２０】
いくつかの実施形態では、ＵＥと通信を行うためのｅＮＢは、少なくとも１つの通信インタフェース、少なくとも１つのプロセッサ、および、少なくとも１つのプロセッサにより実行可能な命令を記憶するメモリを有し、それにより、ｅＮＢは、少なくとも１つの通信インタフェースを介して、問題のあるＵＬのＣＡの組み合わせの情報を含むＩＤＣの指標をＵＥから受信するように動作可能である。いくつかの実施形態では、ｅＮＢは、受信した問題のあるＵＬのＣＡの組み合わせの情報から、ＵＬのＣＡを回避するための周波数を推定するように適合される。
【０１２１】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。いくつかの実施形態では、問題のあるＵＬのＣＡの組み合わせは、ＵＥがＩＤＣの問題を経験するＵＬのＣＡの組み合わせである。
【０１２２】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１２３】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１２４】
いくつかの実施形態において、ｅＮＢと通信するためのＵＥは、問題のあるＵＬのＣＡの組み合わせの情報を含むＩＤＣの指標をｅＮＢに送信するように動作可能な、問題組み合わせモジュールを有する。
【０１２５】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。いくつかの実施形態では、問題のあるＵＬのＣＡの組み合わせは、ＵＥがＩＤＣの問題を経験するＵＬのＣＡの組み合わせである。
【０１２６】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１２７】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１２８】
いくつかの実施形態では、ＵＥと通信するためのｅＮＢは、問題のあるＵＬのＣＡの組み合わせの情報を含むＩＤＣの指標をＵＥから受信するように動作可能な受信モジュールを有する。いくつかの実施形態では、ｅＮＢは更に、受信した問題のあるＵＬのＣＡの組み合わせの情報から、ＵＬのＣＡを回避するための周波数を推定するように動作可能な推定モジュールを有する。
【０１２９】
いくつかの実施形態では、ＵＬのＣＡの組み合わせがＵＥによりサポートされるアップリンクキャリアの組み合わせであり、全ての対応するダウンリンクキャリアに対して測定対象が設定され、ＵＥがＵＬのＣＡの組み合わせに起因するＩＤＣを経験する、または、経験すると予想する場合にだけ、ＵＥは、ＵＬのＣＡの組み合わせを問題があるとして示す。いくつかの実施形態では、問題のあるＵＬのＣＡの組み合わせは、ＵＥがＩＤＣの問題を経験するＵＬのＣＡの組み合わせである。
【０１３０】
いくつかの実施形態では、問題のあるＵＬのＣＡの組み合わせは、ＵＬのＣＡの組み合わせに対する、対応するダウンリンクキャリアの全てに対する測定対象のアイデンティティのセットにより識別される。
【０１３１】
いくつかの実施形態では、ＩＤＣの指標は、各問題のあるＵＬのＣＡの組み合わせに対して、問題のあるＵＬのＣＡの組み合わせに対する、対応するダウンリンクキャリアの全てに対する測定対象のアイデンティティのセットを含む。
【０１３２】
問題組み合わせモジュール、受信モジュール、推定モジュールは、いくつかの実施形態において、図１１と図１３に関連して説明したものと同様の１つ以上のプロセッサ上で動作するコンピュータプログラムとして実装され得る。
【０１３３】
いくつかの更なる実施形態は、
１つ以上の送受信器と、
少なくとも１つのプロセッサと、
前記少なくとも１つのプロセッサ（２２）により実行可能な命令を記憶するメモリを有するユーザ装置を含み、それにより、戦記ユーザ装置は、
少なくとも１つの問題のあるアップリンクのキャリアアグリゲーションの周波数バンドの組み合わせの、少なくとも１つのインジケータを、ネットワークノードへ送信するように動作する。
【０１３４】
いくつかの実施形態では、ユーザ装置は、更に、
前記ユーザ装置によりサポートされる複数のアップリンクのキャリアアグリゲーションの周波数バンドの組み合わせを示す互換性の情報をネットワークノードに送信するように動作し、
前記少なくとも１つのインジケータを送信することは、各組み合わせに対して、組み合わせが問題があるかを示す、複数のサポートされるバンドの組み合わせに対するビットマップを送信することを含む。
【０１３５】
いくつかの実施形態によれば、ユーザ装置は、更に、
前記ユーザ装置によりサポートされる複数のアップリンクのキャリアアグリゲーションの周波数バンドの組み合わせを示す互換性の情報をネットワークノードに送信するように動作し、
前記少なくとも１つのインジケータを送信することは、問題があるアップリンクキャリアアグリゲーション周波数バンドの組み合わせを含むインデックスのリストを送信することを含む。
【０１３６】
更に他の実施形態によれば、ユーザ装置は、更に、
複数の周波数バンド上で測定するために、ネットワークから設定を受信するように動作し、
少なくとも１つの問題のあるアップリンクのキャリアアグリゲーションの周波数バンドの組み合わせは、前記ユーザ装置が測定するように構成され、前記ユーザ装置が問題があると判定した、複数の周波数バンドの少なくとも１つの組み合わせである。
【０１３７】
以下の頭字語は、本開示を通じて使用される。
・２ＵＬ：２つのアップリンクコンポーネントキャリア
・３ＧＰＰ：第３世代パートナシッププロジェクト
・５Ｇ：第５世代
・ＡＳＩＣ：特定用途向け集積回路
・ＣＡ：キャリアアグリゲーション
・ＣＣ：コンポーネントキャリア
・ＣＩＦ：キャリアインジケータフィールド
・ＣＰＵ；中央処理ユニット
・ＣＳＩ：チャネル状態情報
・ＤＬ：ダウンリンク
・ＤＲＸ：非連続受信
・ｅＮＢ：進化型ノードＢ
・ＥＰＤＣＣＨ：強化型または進化型物理ダウンリンク制御チャネル
・Ｅ−ＵＴＲＡ：進化型ユニバーサル地上波無線アクセス
・Ｅ−ＵＴＲＡＮ：進化型ユニバーサル地上波無線アクセスネットワーク
・ＦＤＭ：周波数分割多重
・ＦＰＧＡ；フィールド・プログラマブル・ゲート・アレイ
・ＧＮＳＳ：グローバルナビゲーション衛星システム
・ＩＤ：アイデンティティ
・ＩＤＣ：装置内共存
・ＩＥ：情報エレメント
・ＩＭ：相互変調
・ＩＳＭ：産業的、科学的、医学的
・ＬＴＥ：ロングタームエヴォリューション
・Ｍ２Ｍ：マシーン・ツー・マシーン
・ＭＨｚ：メガヘルツ
・ＭＩＭＯ：多入力多出力
・ＭＭＥ：モビリティ管理エンティティ
・ＭＯ：測定対象
・ＭＴＣ：マシーンタイプ通信
・ＰＣｅｌｌ：プライマリセル
・ＰＤＣＣＨ：物理ダウンリンク制御チャネル
・ＰＤＮ：パケットデータネットワーク
・ＰＤＳＣＨ：物理ダウンリンク共有チャネル
・Ｐ−ＧＷ：パケットデータネットワークゲートウェイ
・ＲＡＮ：無線アクセスネットワーク
・ＲＡＮ４：無線アクセスネットワークワーキンググループ４
・Ｒｅｌ：リリース
・ＲＲＣ：無線リソース制御
・ＲＲＭ：無線リソース管理
・ＳＣＥＦ：サービス能力露出機能
・ＳＣｅｌｌ：セカンダリセル
・Ｓ−ＧＷ：サービングゲートウェイ
・ＴＤＭ：時間分割多重
・ＴＳ：技術仕様
・ＵＥ：ユーザ装置
・ＵＬ：アップリンク
・ＷＣＤＭＡ：広帯域符号分割多重アクセス
・ＷＬＡＮ：無線ローカルエリアネットワーク
【０１３８】
当業者であれば、本開示の実施形態に対する改良および修正を認識するだろう。そのような改良および修正は、ここに開示された概念および以下のクレームの範囲で考慮される。
【図１】
2018533234.tif 000003
【図２】
2018533234.tif 000004
【図３】
2018533234.tif 000005
【図４】
2018533234.tif 000006
【図５】
2018533234.tif 000007
【図６】
2018533234.tif 000008
【図７】
2018533234.tif 000009
【図８】
2018533234.tif 000010
【図９】
2018533234.tif 000011
【図１０】
2018533234.tif 000012
【図１１】
2018533234.tif 000013
【図１２】
2018533234.tif 000014
【図１３】
2018533234.tif 000015
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
進化型ノードＢ（ｅＮＢ）（１４、２０）と通信を行うユーザ装置（ＵＥ）（１６）における方法であって、
問題のあるアップリンクのキャリアアグリゲーションの組み合わせの情報を含む装置内共存（ＩＤＣ）の指標を前記ｅＮＢ（１４、２０）に送信すること（３０４）、を含む、方法。
【請求項２】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項１に記載の方法。
【請求項３】
前記問題のあるアップリンクキャリアアグリゲーションの組み合わせは、前記ＵＥ（１６）がＩＤＣの問題を経験するアップリンクキャリアアグリゲーションの組み合わせである、請求項２に記載の方法。
【請求項４】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項１から３のいずれか１項に記載の方法。
【請求項５】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項１から３のいずれか１項に記載の方法。
【請求項６】
ユーザ装置（ＵＥ）（１６）と通信する進化型ノードＢ（ｅＮＢ）（１４、２０）における方法であって、
問題のあるアップリンクのキャリアアグリゲーションの組み合わせの情報を含む装置内共存（ＩＤＣ）の指標を前記ＵＥ（１６）から受信すること（３０４）、を含む、方法。
【請求項７】
前記ｅＮＢ（１４、２０）は、問題のあるアップリンクキャリアアグリゲーションの組み合わせの前記受信した情報から、アップリンクキャリアアグリゲーションに対して回避するための周波数を推定する、請求項６に記載の方法。
【請求項８】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項６または７に記載の方法。
【請求項９】
前記問題のあるアップリンクキャリアアグリゲーションの組み合わせは、前記ＵＥ（１６）がＩＤＣの問題を経験するアップリンクキャリアアグリゲーションの組み合わせである、請求項８に記載の方法。
【請求項１０】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項６から９のいずれか１項に記載の方法。
【請求項１１】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項６から９のいずれか１項に記載の方法。
【請求項１２】
進化型ノードＢ（ｅＮＢ）（１４、２０）と通信を行うためのユーザ装置（ＵＥ）（１６）であって、問題のあるアップリンクのキャリアアグリゲーションの組み合わせの情報を含む装置内共存（ＩＤＣ）の指標を前記ｅＮＢ（１４、２０）に送信するように適合される、ＵＥ（１６）。
【請求項１３】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項１２に記載のＵＥ（１６）。
【請求項１４】
前記問題のあるアップリンクキャリアアグリゲーションの組み合わせは、前記ＵＥ（１６）がＩＤＣの問題を経験するアップリンクキャリアアグリゲーションの組み合わせである、請求項１３に記載のＵＥ（１６）。
【請求項１５】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項１２から１４のいずれか１項に記載のＵＥ（１６）。
【請求項１６】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項１２から１４のいずれか１項に記載のＵＥ（１６）。
【請求項１７】
ユーザ装置（ＵＥ）（１６）と通信するための進化型ノードＢ（ｅＮＢ）（１４、２０）であって、
問題のあるアップリンクのキャリアアグリゲーションの組み合わせの情報を含む装置内共存（ＩＤＣ）の指標をＵＥ（１６）から受信するように適合される、ｅＮＢ（１４、２０）。
【請求項１８】
ｅＮＢ（１４、２０）は、問題のあるアップリンクキャリアアグリゲーションの組み合わせの前記受信した情報から、アップリンクキャリアアグリゲーションに対して回避するための周波数を推定するように適合される、請求項１７に記載のｅＮＢ（１４、２０）。
【請求項１９】
前記アップリンクのキャリアアグリゲーションの組み合わせが前記ＵＥ（１６）によりサポートされるアップリンクキャリアの組み合わせであり、全ての対応するダウンリンクキャリアに対して測定対象が構成され、前記ＵＥ（１６）が前記アップリンクのキャリアアグリゲーションの組み合わせに起因するＩＤＣを経験する、または、経験すると予想する場合にだけ、前記ＵＥ（１６）は、アップリンクのキャリアアグリゲーションの組み合わせを問題があるとして示す、請求項１７または１８に記載のｅＮＢ（１４、２０）。
【請求項２０】
前記問題のあるアップリンクキャリアアグリゲーションの組み合わせは、前記ＵＥ（１６）がＩＤＣの問題を経験するアップリンクキャリアアグリゲーションの組み合わせである、請求項１９に記載のｅＮＢ（１４、２０）。
【請求項２１】
問題のあるアップリンクキャリアアグリゲーションの組み合わせは、前記アップリンクキャリアアグリゲーションの組み合わせに対する、前記対応するダウンリンクキャリアの全てに対する測定対象のアイデンティティのセットにより識別される、請求項１７から２０のいずれか１項に記載のｅＮＢ（１４、２０）。
【請求項２２】
前記ＩＤＣの指標は、各問題のあるアップリンクキャリアアグリゲーションの組み合わせに対して、前記問題のあるアップリンクキャリアアグリゲーションの組み合わせに対する、前記対応するダウンリンクキャリアの全てに対する測定対象のアイデンティティのセットを含む、請求項１７から２０のいずれか１項に記載のｅＮＢ（１４、２０）。
【国際調査報告】
2018533234.tif 000016
2018533234.tif 000017
2018533234.tif 000018